(57)【要約】      （修正有）【課題】  天板上に射す光量を適度に少なくしうるとともに、広幅の後部パネルを取付可能とする。【解決手段】天板５を支持するフレームＦの両側部に、左右１対のパネル支持杆２４を後方に延出するように取付け、両パネル支持杆２４の後端に、前記天板５の後方を覆いうるとともに、上部を前向きに折曲することにより、天板５の後部上方を覆いうる後部パネル１２を取付ける。【選択図】  図１
2006109950.tif 000002
【特許請求の範囲】
【請求項１】
天板またはこの天板を支持するフレームの両側部に、左右１対のパネル支持杆を後方に延出させて取付け、両パネル支持杆の後端に、前記天板の後方を覆いうるとともに、上部を前向きに折曲することにより、天板の後部上方を覆いうる後部パネルを取付けたことを特徴とするパネル付き机。
【請求項２】
パネル支持杆を、互いに平行をなすようにして、上下２本設けた請求項１記載のパネル付き机。
【請求項３】
パネル支持杆を、斜め後ろ外側方に向かって延出させてなる請求項１または２記載のパネル付き机。
【請求項４】
後部パネルの少なくとも前向きに折曲された上部を、半透光性もしくは透光性を有するものとした請求項１〜３のいずれかに記載のパネル付き机。
【請求項５】
後部パネルを、正面視概ね方形枠状に形成されたパイプ状フレームと、このフレームの左右両側の垂直杆に両側端が連結された水平な中間フレームと、前記フレームに張設されたメッシュ状の張り材とからなるものとした請求項１〜４のいずれかに記載のパネル付き机。
【請求項６】
中間フレームを、張り材の内面に接触してこれを後方に膨出させうるように、後向きに湾曲させてなる請求項５記載のパネル付き机。
【請求項７】
後部パネルの少なくともいずれか一方の側端に、前端下部に床面により支持される支持脚を有する側部パネルの後端を連結してなる請求項１〜６のいずれかに記載のパネル付き机。
【請求項８】
側部パネルを、側面視概ね方形枠状のパイプ状フレームに、半透光性もしくは透光性の張り材を張設したものとした請求項７記載のパネル付き机。
【請求項９】
側部パネルの後端を、ヒンジを介して後部パネルの側端に水平回動しうるように連結した請求項７または８記載のパネル付き机。
【発明の詳細な説明】
【技術分野】
【０００１】
本発明は、天板の後方に、目隠し用等のパネルを設けたパネル付き机に関する。
【背景技術】
【０００２】
天板の後方にパネルを設けた従来のパネル付き机としては、例えば特許文献１及び２に記載されているものがある。    
【特許文献１】特開２００３−２４５１４１号公報
【特許文献２】特開２００４−１３５８３２号公報
【発明の開示】
【発明が解決しようとする課題】
【０００３】
上記特許文献に記載されているパネル付き机において、天板の後方のパネルは、いずれも、天板に対し垂直状に取付けられているため、単なる目隠しのための機能しか有していない。
【０００４】
そのため、天板の上面に上方から射す照明の光を遮ることができず、ＯＡ機器のディスプレイ等を天板に載置した際に、その画面が見にくくなることがある。
【０００５】
また、パネルは、いずれも、天板の下面に設けたブラケットにより支持されているため、その幅が天板の左右寸法により制限され、広幅の後部パネルを取付けて目隠し効果を高めたり、その側端に、天板の側方を覆う側部パネルを連結したりすることはできない。
【０００６】
本発明は、上記問題点に鑑みてなされたもので、天板上に射す光量を適度に少なくしうるとともに、広幅の後部パネルを取付けうるようにしたパネル付き机を提供することを目的としている。
【課題を解決するための手段】
【０００７】
本発明によると、上記課題は、次のようにして解決される。
（１）天板またはこの天板を支持するフレームの両側部に、左右１対のパネル支持杆を後方に延出するように取付け、両パネル支持杆の後端に、前記天板の後方を覆いうるとともに、上部を前向きに折曲することにより、天板の後部上方を覆いうる後部パネルを取付ける。    
【０００８】
（２）上記(１)項において、パネル支持杆を、互いに平行をなすようにして、上下２本設ける。
【０００９】
（３）上記(１)または(２)項において、パネル支持杆を、斜め後ろ外側方に向かって延出させる。
【００１０】
（４）上記(１)〜(３)項のいずれかにおいて、後部パネルの少なくとも前向きに折曲された上部を、半透光性もしくは透光性を有するものとする。
【００１１】
（５）上記(１)〜(４)項のいずれかにおいて、後部パネルを、正面視概ね方形枠状に形成されたパイプ状フレームと、このフレームの左右両側の垂直杆に両側端が連結された水平な中間フレームと、前記フレームに張設されたメッシュ状の張り材とからなるものとする。
【００１２】
（６）上記(５)項において、中間フレームを、張り材の内面に接触してこれを後方に膨出させうるように、後向きに湾曲させる。
【００１３】
（７）上記(１)〜(６)項において、後部パネルの少なくともいずれか一方の側端に、前端下部に床面により支持される支持脚を有する側部パネルの後端を連結する。
【００１４】
（８）上記(７)項において、側部パネルを、側面視概ね方形枠状のパイプ状フレームに、半透光性もしくは透光性の張り材を張設したものとする。
【００１５】
（９）上記(７)または(８)項において、側部パネルの後端を、ヒンジを介して後部パネルの側端に水平回動しうるように連結する。  
【発明の効果】
【００１６】
請求項１記載の発明によれば、後部パネルの上部を、天板の後部上方を覆いうるように前向きに折曲したことにより、上方から天板上に射す光量が少なくなる。従って、天板の後部上面にＯＡ機器のディスプレイ等を載置するなどした際に、その画面が見易くなる。
【００１７】
また、パネル支持杆を、天板を支持するフレームに取付けることにより、後部パネルの横幅を、天板の左右寸法に関係なく広幅とすることが可能となり、天板後方の目隠し効果を高めることができる。
【００１８】
請求項２記載の発明によれば、後部パネルの荷重が、上下のパネル支持杆に分散されるので、パネルを安定して支持しうるとともに、床面より離間させて支持することができるので、支持脚等が不要となる。
【００１９】
請求項３記載の発明によれば、後部パネルのパネル支持杆との連結部が、天板の外側方に位置するので、より広幅の後部パネルを取付けることができる。
【００２０】
請求項４記載の発明によれば、後部パネルの前向折曲部を光が透過するので、天板の後部上面に射す光が完全に遮られることはなく、デスクワークを行う際に天板面が暗くなるのが防止される。
【００２１】
請求項５記載の発明によれば、後部パネルが軽量化するので、これをパネル支持杆により安定的に支持することができる。
【００２２】
また、中間フレームにより、枠状フレームが補強されるので、張り材を張設しても、フレームの形状が変形する恐れはない。
【００２３】
請求項６記載の発明によれば、張り材に張り力を付与してフレームに張設しうるとともに、張り材が３次元的に後方に膨出するので、見栄えがよく、かつ天板の後端とパネルの前面との間が離間するので、圧迫感が解消される。
【００２４】
請求項７記載の発明によれば、後部パネルを利用して側部パネルを天板の側方に配置することができるので、側部パネル支持用のブラケット等を天板やフレームに取付ける必要がない。
【００２５】
請求項８記載の発明によれば、側部パネルを光が透過するので、それを設けても、天板面が暗くなることがない。
【００２６】
請求項９記載の発明によれば、側部パネルと天板との間の間隔を自由に調節しうるとともに、側部パネルを外側方に回動させてスペースを形成することにより、そのスペースに、サイドテーブル等のオプション家具を設置することができる。
【発明を実施するための最良の形態】
【００２７】
以下、本発明の実施形態を、図面に基づいて説明する。
図１は、本発明のパネル付き机の斜視図、図２は同じく平面図、図３は左側の側部パネルを取外して示す側面図である。
【００２８】
図１〜図３に示すように、机のフレーム(Ｆ)は、前後方向を向くベース脚(1a)と、その中央よりも若干後部側において起立する、平面視概ね楕円形断面の脚柱(1b)とからなる、左右１対の脚体(１)(１)と、左右の脚柱(1b)の上端に固着された、前後方向（以下、図１の斜め右下方を前として説明する）を向く上下２分割構造の支持部材(２)と、この左右の支持部材(２)(２)より左右両端部が支持固定された、上下両面が水平面をなす六角形断面の前後１対の横連結杆(３)(３)とにより構成されている。
【００２９】
左右の支持部材(２)の前端には、例えば平行リンク機構よりなる左右１対の天板支持体(４)が回動自在に取付けられ、この天板支持体(４)には、主天板(５)が横連結杆(３)の前方に大きく突出した状態で、高さ調節可能に取付けられている。
【００３０】
後側の横連結杆(３)には、補助天板(６)が、横連結杆(３)に固定された図示しない支持部材と、それに立設した支持杆(７)を介して、主天板(５)の後端と近接するようにして取付けられている。
【００３１】
前側の横連結杆(３)は、脚体(１)及び主天板(５)の側端より側方に延出させてあり、その左右の延長部(3a)には、サイドテーブル(８)(８)が取付けられている。サイドテーブル(８)は、平面視概ね前向き楕円形をなす天板(8a)を備え、その下面に前端部を取付けた左右２本の水平支持杆(９)(９)の後端を、延長部(3a)を上下より挟持するようにして固定された上下２分割構造の支持部材(10)の前端に固着するとともに、前端部下面を支持脚(11)により床面に支持することにより、主天板(５)の側方においてその前端より大きく前方に突出するように配置されている。
【００３２】
サイドテーブル(８)は、支持部材(10)の取付位置を左右方向にずらすことにより、主天板(５)に近づけたり、離したりすることができる。
【００３３】
主天板(５)の後方と両側方には、目隠しパネルとしての後部パネル(12)と、左右１対の互いに対称をなす側部パネル(13)(13)とが設けられている。
【００３４】
後部パネル(12)は、下部のほぼ上向きコ字状をなす下部フレーム(14a)と、その上端に連結され、上部が主天板(５)の後部上方に向かって側面視ほぼくの字状に湾曲し、さらに上端を斜め後上方に向かって円弧状に湾曲させた正面視ほぼ下向きコ字状の上部フレーム(14b)と、上下のフレーム(14a)(14b)の連結部に両側端が連結された、後方に向かって円弧状に湾曲する水平な中間フレーム(14c)とからなるパイプ状の後部フレーム(14)と、外周縁に、少なくとも２個所が切除された袋状部(15a)を有する伸縮自在な張り材(15)とからなり、張り材(15)の袋状部(15a)を、上下のフレーム(14a)(14b)に、その連結前において収納することにより張設されている。
【００３５】
張り材(15)は、半透光性（または透光性）と通気性を有するメッシュ状のクロス、スクリーン又はシート等よりなっている。
【００３６】
張り材(15)の張設時において、中間フレーム(14c)を張り材(15)の前面に接触させることにより、張り材(15)に張り力を付与しうるとともに、その下部寄りが３次元的に後方に膨出する。
【００３７】
側部パネル(13)は、ほぼ上向きコ字状の下部フレーム(16a)と、ほぼ下向きコ字状または逆Ｕ字形をなす上部フレーム(16b)と、それらの連結部に前後両端が連結された、外側方に向かって円弧状に湾曲する水平な中間フレーム(16c)とからなるパイプ状の側部フレーム(16)と、上述と同様の張り材(15)とからなり、その外周縁の袋状部(15a)を、上下のフレーム(16a)(16b)に収納することにより張設されている。
【００３８】
この張設時において、中間フレーム(16c)を張り材(15)の内側面に接触させることにより、上述と同様、張り材(15)に張り力が付与され、かつ下部が外側方に３次元的に膨出する。
【００３９】
下部フレーム(16a)の前端隅部には、支持脚(17)が取付けられている。
【００４０】
図４は、後部フレーム(14)の両側端と側部フレーム(16)の後端との連結部の分解斜視図である（左右同一構造であるため左方のみ図示する）。
【００４１】
後部フレーム(14)における上下のフレーム(14a)(14b)の垂直杆部同士の連結部と、中間フレーム(14c)の側端との連結部、及び側部フレーム(16)における上下のフレーム(16a)(16b)の垂直杆部同士の連結部と、中間フレーム(16c)の後端との連結部には、それぞれ平面視内向きコ字状と前向きコ字状をなす連結金具(18)(18)が、各フレームの連結部を挟持するようにして固着されている。
【００４２】
側部フレーム(16)側の連結金具(18)の内方の側片(18a)には、ヒンジ(19)の一方の回動片(19a)が、その上下の取付孔(20)と両側片(18a)(18a)の貫通孔(21)とに、２個のねじ(22)(22)を挿通して、その突出端部に袋ナット(23)を螺合することにより、固定されている。
【００４３】
後部フレーム(14)側の連結金具(18)の前部の側片(18a)には、ヒンジ(19)の他方の回動片(19b)が、その上下の取付孔(20)と両側片(18a)(18a)の貫通孔(21)とに、２個のねじ(22)(22)を挿入し、その突出端を、互いに平行をなす上下２本のパネル支持杆(24)(24)の後端面のめねじ孔（図示略）に螺合することにより、固定されている。
【００４４】
両パネル支持杆(24)は、ヒンジ部(19)との取付部を除いて、斜め前方に向かって内向きに折曲され、その前端には、上下方向を向く円柱状の固定部(25)が固着されている。
【００４５】
左右の上下２本のパネル支持杆(24)における固定部(25)は、上記脚柱(1b)の上端に固着された支持部材(２)の後端部に、次のようにして取付けられている。
【００４６】
図５に示すように（左方のみ図示する）、支持部材(２)における上下の挟持部材(2a)(2b)の後端部の上面と下面とに形成された凹孔(26)(26)に、上下のパネル支持杆(24)の固定部(25)を嵌合したのち、上部の固定部(25)の中心の段付孔(27)に上方より挿入した長寸のボルト(28)を、上下の挟持部材(2a)(2b)の通孔(29)を貫通させて、下部の固定部(25)の中心の上部に形成されためねじ(30)に向かって螺合する。
【００４７】
これにより、上下のパネル支持杆(24)は、平面視において斜め外側方に後向きに延出するようにして、支持部材(２)の後端に取付けられている（図２参照）。
【００４８】
従って、左右のパネル支持杆(24)の後端より支持された後部パネル(12)は、後部の横連結杆(３)及び補助天板(６)の後端より大きく離間するとともに、後部パネル(12)の両側端にヒンジ(19)より後端が連結された側部パネル(13)も、脚柱(1b)、主天板(５)及び補助天板(６)の側端より離間した位置に配置され、その位置においてヒンジ(19)を中心として左右方向に水平に回動させることができる。
【００４９】
以上説明したように、上記実施形態においては、後部パネル(12)及び側部パネル(13)は、パイプ状のフレーム(14)(16)に張り材(15)を張設した簡単な構造のものよりなり、かつ後部パネル(12) は、左右における上下２本のパネル支持杆(24)のみにより、机における脚柱(1b)の上端に設けた支持部材(２)に支持され、側部パネル(13)の後端も、ヒンジ(19)をもって後部パネル(12)の側端により支持されているため、両パネル(12)(13)の構造が極めて簡素で、重厚感はなく、しかも側部パネル(13)を机に取付ける部材を省略しうるので、部品点数や組立工数が削減される。
【００５０】
また、後部パネル(12)と側部パネル(13)は、主天板(５)や補助天板(６)と離間して取付けられ、かつ両天板(５)(６)と対向する部分の張り材(15)が、外方に膨出しているため、圧迫感が解消されるとともに、両天板(５)(６)に載置したＯＡ機器等の一部を、後方又は側方に突出させうるので、天板面を広範囲に有効に使用することができる。
【００５１】
後部パネル(12)及び側部パネル(13)は、半透光性又は透光性を有する張り材(15)を張設してあるので、天板(５)(６)上に、後方及び側方から射す光が完全に遮られることはなく、デスクワークの環境がよくなる。
【００５２】
また、後部パネル(12)の上部は、主天板(５)の後部上方に向かって湾曲しているので、主天板(５)の後部上面に上方より射す照明の光量が少なくなり、その後部上面に載置したディスプレイ等が見易くなる。
【００５３】
側部パネル(13)は、その後端を中心として左右方向に回動しうるので、外側方に回動させて、主天板(５)の側端との間を大きく離間させれば、上記実施形態のように、机の側方にサイドテーブル(８)等のオプション家具を設置し、その側方も側部パネル(13)により覆うことができる。
【００５４】
左右のパネル支持杆(24)は、脚柱(1b)の上端に設けた支持部材(２)の後端に、斜め外側方に後向きに延出させて取付けられているため、その後端により支持されている後部パネル(12)の左右幅を、脚体(１)間の離間寸法や主天板(５)及び補助天板(６)の左右寸法よりも大とすることができ、目隠し効果が高まる。
【００５５】
側部パネル(13)は、後端が後部パネル(12)の後端に連結され、前端が支持脚(17)により床面に支持されているので、側部パネル(13)を机の側端部に取付けるためのブラケット等が不要となり、部品点数が削減されるとともに、組立作業も容易となる。
【００５６】
主天板(５)は、横連結杆(３)の前方に大きく突出して支持され、かつ後部パネル(12)も、横連結杆(３)の後方に大きく離間して支持されているため、主天板(５)と後部パネル(13)との間に大きな開放スペースが形成されるとともに、横連結杆(３)の上方も開放されている。
【００５７】
従って、上記実施形態のように、前後の横連結杆(３)又はそのいずれか一方に、補助天板(６)等、前後寸法の比較的大きなオプション部品を余裕をもって取付けることができる。
【００５８】
上記実施形態では、左右のパネル支持杆(24)を、脚柱(1b)の上端に設けた、横連結杆(３)の両側端部を固定する支持部材(２)の後端部に取付けているが、後部の横連結杆(３)の側端部も、前部の横連結杆(３)のように、支持部材(２)すなわち脚体(１)の外側方に延出させ、前後の横連結杆(３)の延長部又は後部の横連結杆(３)のみの延長部に、後端部の形状が支持部材(２)と同様の形状をなす適宜の支持部材を固定し、この支持部材にパネル支持杆(24)を取付けるようにしてもよい。
【００５９】
このようにすると、側部パネル(13)と机の側端との間に大きなスペースが形成されるので、それらの間に、複数の、または左右寸法の大きなオプション家具等を設置することができるとともに、支持部材の固定位置を延長部に沿って左右方向にずらすことにより、後部パネル(12)や側部パネル(13)の左右位置を、天板(５)(６)の左右寸法に応じて調節することができる。
【００６０】
また、左右の脚体(１)間において、横連結杆(３)の両側部に、適宜の支持部材を左右位置変更可能に取付け、この支持部材にパネル支持杆(24)を取付けて、これにより、後部パネル(12)及び側部パネル(13)を支持するようにしてもよい。
【００６１】
補助天板(６)が不要なときは、主天板(５)をフレーム(Ｆ)の上部に固定的に設け、この主天板(５)の後端部下面の両側部に、パネル支持杆(24)の前端部を、適宜の取付部材を介して取付けることもある。
【図面の簡単な説明】
【００６２】
【図１】本発明のパネル付き机の斜視図である。
【図２】同じく、平面図である。
【図３】同じく、左側の側部パネルを取外して示す側面図である。
【図４】同じく、後部パネルのフレームと、側部パネルのフレームとの連結部の詳細を示す分解斜視図である。
【図５】同じく、パネル支持杆の支持部材への取付部の縦断側面図である。
【符号の説明】
【００６３】
(１)脚体
(1a)ベース脚
(1b)脚柱
(２)支持部材
(2a)(2b)挟持部材
(３)横連結杆
(3a)延長部
(４)天板支持体
(５)主天板
(６)補助天板
(７)支持杆
(８)サイドテーブル
(8a)天板  
(９)水平支持杆
(10)支持部材
(11)支持脚
(12)後部パネル
(13)側部パネル
(14)後部フレーム
(14a)下部フレーム
(14b)上部フレーム
(14c)中間フレーム
(15)張り材
(15a)袋状部
(16)側部フレーム
(16a)下部フレーム
(16b)上部フレーム
(16c)中間フレーム
(17)支持脚
(18)連結金具
(18a)側片
(19)ヒンジ
(19a)(19b)回動片
(20)取付孔
(21)貫通孔
(22)ねじ
(23)袋ナット
(24)パネル支持杆
(25)固定部
(26)凹孔
(27)段付孔
(28)ボルト
(29)通孔
(30)めねじ
(Ｆ)フレーム  
【図１】
2006109950.tif 000003
【図２】
2006109950.tif 000004
【図３】
2006109950.tif 000005
【図４】
2006109950.tif 000006
【図５】
2006109950.tif 000007